(57)【要約】【課題】施工後に長期間経過した後、効率よく効果的に防蟻対策を行うこと。【解決手段】防蟻機能を有する断熱材１２を基礎１１の外側面に備えた床下構造において、基礎１１及び断熱材１２の上面１１ａ、１２ａに防蟻剤を含浸可能な不織布３０を設ける。不織布３０は、その一部が建物の床下側に露出した状態で、押圧部材２７により断熱材の上面に挟み込まれている。好ましくは、不織布３０は、基礎１１の上面１１ａ及び断熱材１２の稜線に適合した折り目を形成するミシン目を有している。【選択図】図１
2018091032.tif 000002
【特許請求の範囲】
【請求項１】
建物の基礎と、
前記基礎の外側面に取り付けられる防蟻処理の施された断熱材と、
前記基礎の上面及び前記断熱材の上面を連続して覆う不織布であって、一部が前記建物の床下側に露出するように配置される、防蟻剤を含浸可能な前記不織布と、
前記断熱材の上面に沿って配置され、かつ当該断熱材の上面との間で前記不織布を挟み込む押圧部材と
を備えていることを特徴とする床下構造。
【請求項２】
請求項１に記載の床下構造において、
前記断熱材は、前記上面が前記基礎の上面よりも低くなって前記基礎の外側面に段差部を形成しており、前記押圧部材は、前記段差部の輪郭に沿って前記不織布を前記断熱材との間で挟み込むものである床下構造。
【請求項３】
請求項１又は２に記載の床下構造において、
前記不織布は、当該不織布を前記基礎の上面及び前記断熱材の上面に沿わせるためのミシン目を有している床下構造。
【請求項４】
請求項３に記載の床下構造において、
前記不織布のミシン目は、サイズが異なる複数の仕様の基礎及び断熱材に適合するように複数個形成されている床下構造。
【請求項５】
請求項１から４のいずれか１項に記載の床下構造において、
前記建物の構造体と干渉する部位を施工現場で切除可能な切除用のミシン目をさらに備えている床下構造。
【請求項６】
防蟻剤を含浸可能な不織布であって、
建物の基礎の外側面に取り付けられる、防蟻処理の施された断熱材を備えた床下構造に配置され、前記基礎の上面及び前記断熱材の上面を覆うとともに、その一部が前記建物の床下側に露出した状態で、前記基礎の上面及び前記断熱材の稜線に適合した折り目を形成するミシン目を有している、ことを特徴とする不織布。
【請求項７】
建物の基礎の外側面に、防蟻処理の施された断熱材を取り付ける工程と、
防蟻剤を含浸可能な不織布を配置する工程であって、当該不織布が前記基礎の上面及び前記断熱材の上面を連続して覆い、かつ前記不織布の一部が前記建物の床下側に露出するように前記不織布を配置する工程と、
配置された前記不織布を固定する工程と、
前記不織布の前記建物の床下側に露出する部位に防蟻剤を床下側から含浸させる工程と
を備えていることを特徴とする床下構造の防蟻処理方法。
【発明の詳細な説明】
【技術分野】
【０００１】
本発明は、床下構造及びそれに用いる不織布並びに床下構造の防蟻処理方法に関する。
【背景技術】
【０００２】
白蟻による食害から建築物を保護するために、当該建築物に対する種々の対策は、従来、種々提案されている。
【０００３】
例えば、特許文献１に記載には、基礎（基礎土台）と際スペーサ（基礎木材）との間に防蟻シート材を介装する技術が開示されている。同防蟻シート材は、不織布に薬剤を積層し、長期間にわたって防蟻機能を持たせることを意図している。
【先行技術文献】
【特許文献】
【０００４】
【特許文献１】特開平９−１１０６０６号公報
【発明の概要】
【発明が解決しようとする課題】
【０００５】
しかしながら、長期間にわたって防蟻機能を維持するためには、薬剤の層を相当厚く設定する必要があり、薬剤のコストが高くなる。しかも、近年では、基礎の少なくとも外側面に貼着される断熱材に防蟻剤を含有させていることが多く、不織布による長期の防蟻機能は、比較的重要性が小さくなっていた。
【０００６】
一方、断熱材に含有された防蟻剤の機能も１０年等の単位では劣化するものであり、そのような場合には、断熱材と基礎との間の隙間（特に頂部）に対する防蟻対策が必要となるが、特許文献１に開示されている技術では、そのような対策を十分に講じる構成にはなっていなかった。
【０００７】
本発明は、上述した課題に鑑みてなされたものであり、施工後に長期間経過した後、効率よく効果的に防蟻対策を行うことのできる床下構造及びそれに用いる不織布並びに床下構造の防蟻処理方法を提供することを課題としている。
【課題を解決するための手段】
【０００８】
上記課題を解決するために、本発明は、建物の基礎と、前記基礎の外側面に取り付けられる防蟻処理の施された断熱材と、前記基礎の上面及び前記断熱材の上面を連続して覆う不織布であって、一部が前記建物の床下側に露出するように配置される、防蟻剤を含浸可能な前記不織布と、前記断熱材の上面に沿って配置され、かつ当該断熱材の上面との間で前記不織布を挟み込む押圧部材とを備えていることを特徴とする床下構造である。
【０００９】
本発明の別の態様は、防蟻剤を含浸可能な不織布であって、建物の基礎の外側面に取り付けられる、防蟻処理の施された断熱材を備えた床下構造に配置され、前記基礎の上面及び前記断熱材の上面を覆うとともに、その一部が前記建物の床下側に露出した状態で、前記基礎の上面及び前記断熱材の稜線に適合した折り目を形成するミシン目を有している、ことを特徴とする不織布である。
【００１０】
本発明のさらに別の態様は、建物の基礎の外側面に、防蟻処理の施された断熱材を取り付ける工程と、防蟻剤を含浸可能な不織布を配置する工程であって、当該不織布が前記基礎の上面及び前記断熱材の上面を連続して覆い、かつ前記不織布の一部が前記建物の床下側に露出するように前記不織布を配置する工程と、配置された前記不織布を固定する工程と、前記不織布の前記建物の床下側に露出する部位に防蟻剤を床下側から含浸させる工程とを備えていることを特徴とする床下構造の防蟻処理方法である。
【００１１】
本発明の前記各態様では、基礎の外側面に貼着される断熱材に施された防蟻処理により、外部からの白蟻の進入を長期にわたって防ぐことができる。この防蟻機能が低下してきた場合、基礎及び断熱材の上面に沿って配置された不織布に防蟻剤を含浸させることにより、防蟻機能を再生し、再び長期にわたり、白蟻の進入を防止することができる。施工時の不織布には、防蟻剤を含浸させる必要はないので、不織布に予め防蟻剤を塗布、積層した従来の構造に比べ、コストを格段に下げることができる。また、断熱材の防蟻機能が劣化した時点で改めて防蟻剤を不織布に含浸させればよいので、そのようなメンテナンス工程、すなわち、施工後に不織布のうち建物の床下側に露出する部位に防蟻剤を床下側から含浸させる工程により、防蟻機能の再生が可能となり、より長期間にわたり、高い防蟻機能を奏することができる。
【００１２】
好ましい態様の床下構造において、前記断熱材は、前記上面が前記基礎の上面よりも低くなって前記基礎の外側面に段差部を形成しており、前記押圧部材は、前記段差部の輪郭に沿って前記不織布を前記断熱材との間で挟み込むものである。この態様では、「段差部」を設けたことにより、建物の床下から含浸した防蟻剤が重力で断熱材側に導かれつつ浸透する。そのため、含浸させた防蟻剤が床下側に逆流する恐れが少なくなり、しかも、白蟻の進入しやすい外側に薬剤を浸透させることが可能となる。さらにまた、基礎と断熱材との境界に防蟻剤が溜まりやくなり、断熱材の防蟻機能が劣化した場合に最も白蟻が集まりやすい空間に薬剤を浸透させやすくなる。
【００１３】
好ましい態様の床下構造において、前記不織布は、当該不織布を前記基礎の上面及び前記断熱材の上面に沿わせるためのミシン目を有している。この態様では、ミシン目による位置決めが容易になる他、段差部が設けられている構成においても、当該起伏に不織布を密に沿わせ、高い面接触状態を維持して防蟻機能を発揮させることができる。
【００１４】
好ましい態様の床下構造において、前記不織布のミシン目は、サイズが異なる複数の仕様の基礎及び断熱材に適合するように複数個形成されている。この態様では、不織布に汎用性を持たせ、現場での取扱いばかりでなく、製品管理上の負担をも軽減することが可能になる。
【００１５】
好ましい態様の床下構造において、前記建物の構造体と干渉する部位を施工現場で切除可能な切除用のミシン目をさらに備えている。この態様では、切除用のミシン目に遭わせて不要な部位を切除することが容易になるので、現場での作業性向上に寄与することができる。
【発明の効果】
【００１６】
以上説明したように、本発明によれば、長期間にわたって防蟻機能を維持するに当たり、基礎の外側面に貼着される断熱材に防蟻剤を含有させていることと相俟って、施工当初に薬剤を含浸させる必要がないので、薬剤のコスト低減を図ることができる。一方、断熱材に含有された防蟻剤の機能が劣化した場合には、不織布の、床下側に露出している部位から防蟻剤を含浸させることができるので、基礎や断熱材の上面に防蟻機能を持たせ、断熱材自身の防蟻性能劣化を補うことが可能となる。よって、本発明によれば、施工後に長期間経過した後、効率よく効果的に防蟻対策を行うことのできる廉価な構成を得ることができるという顕著な効果を奏する。
【００１７】
本発明のさらなる特徴、目的、構成、並びに作用効果は、添付図面と併せて読むべき以下の詳細な説明から容易に理解できるであろう。
【図面の簡単な説明】
【００１８】
【図１】鉄骨住宅の床下構造を概略的に示す断面略図である。
【図２】図１の床下構造に採用される不織布の平面図である。
【図３】図１の床下構造を建物の内部側からみた同床下構造の施工過程を示す斜視図である。
【図４】図３のアングルから同床下構造の施工過程を示す斜視図である。
【図５】図３のアングルから同床下構造の施工過程を示す斜視図である。
【図６】木造住宅の床下構造を概略的に示す断面略図である。
【発明を実施するための形態】
【００１９】
以下、添付図面を参照して、本発明を実施するための最良の形態について説明する。なお、以下に示す各実施形態において、同等の部材には、同一の符号を付し、重複する説明を省略する。
【００２０】
図１は、鉄骨住宅の床下構造１を概略的に示す断面略図である。同図を参照して、同床下構造１は、基礎（基礎土台）１１と、基礎１１の外面及び内面に貼着されている断熱材１２、１３とを備えている。
【００２１】
基礎１１は、コンクリートを打設して設けた従来構造の構造物である。図示の例において、基礎１１は、図面の表裏方向に長く延びて建物の壁を形成しており、左右を建物の内外に仕切っている。
【００２２】
断熱材１２、１３は、防蟻機能を有する薬剤を含有させ、防蟻処理を施したものであり、外側には、比較的厚みのある断熱材１２が貼着されている。この断熱材１２は、その上面１２ａが若干基礎１１の上面１１ａよりも低く設定されており、基礎１１との間で段差部１４を形成している。段差部１４は、例えば、１０ｍｍ〜５０ｍｍ程度であればよく、後述する水切や外装パネルの仕様に併せて適宜決定される。上記段差部１４を余した状態で、断熱材１２は、基礎１１の外側面全域にわたり、貼着されている。また、断熱材１２の表面には、化粧モルタル等による外装材１５が施されている。一方、内側の断熱材１３は、基礎１１の上面１１ａと面一になった状態で、基礎１１の内側壁全面に沿い、貼着されている。
【００２３】
基礎１１の上部には、基礎際スペーサ１６が設置されている。基礎際スペーサ１６は、基礎１１の外側と面一になるように基礎１１の上面１１ａに設置され、基礎１１と基礎１１の上方に設けられる外壁２０との間の隙間をシールする。
【００２４】
基礎際スペーサ１６の上部には、外壁２０が設置される。外壁２０は、複数の単位パネルを多数連結して建物の外壁を構成する部材である。外壁２０（又は各単位パネル）は、外殻を構成するフレーム部２１と、フレーム部２１内に充填される断熱材２２と、フレーム部２１の外側面に固定される面材２３と、面材２３に対し、前方（建物の外側）に間隔を隔てて配置された状態でフレーム部２１に支持されるサイディング２４とを有しており、サイディング２４の内側と面材２３との間には、空気通路２５が形成されている。なお、外壁２０の構造自体は、公知の構成と同等であるので説明を省略する。
【００２５】
図示の例において、サイディング２４は、基礎１１に貼着された外側の断熱材１２と概ね面一になっており、サイディング２４の下面は、僅かな隙間を隔てて断熱材１２の上面１２ａに臨んでいる。サイディング２４の下面には、当該サイディング２４と断熱材１２との間の隙間に配置された水切２６が取り付けられている。
【００２６】
水切２６には、別部材で構成された押圧部材２７が併設される。押圧部材２７は、当該サイディング２４と断熱材１２との間の隙間に配置され、断熱材１２の上面１２ａに沿って、上面１２ａとの間で後述する不織布３０を挟圧する板材で具体化されている。押圧部材２７は、少なくとも断熱材１２の上面１２ａとの間で同不織布３０を挟み込む。具体的には、図示していないが、押圧部材２７は、断熱材１２の上面から貫通する固定ピンで図示の通り、段差部１４に沿った姿勢で固定されている。
【００２７】
水切２６及び押圧部材２７は、いずれも金属製又は樹脂製の押出材であり、これら２部材全体としては、施工後に互いに協働して外部を空気通路２５と連通しつつ、雨水や害虫、さらにはネズミなどの小動物の侵入を規制する。
【００２８】
以上のような構成において、本実施形態では、図２に示す帯状の不織布３０が基礎１１及び外側の断熱材１２の上面１２ａに配置されており、基礎際スペーサ１６及び水切２６は、この不織布３０に載置された状態で固定されている。
【００２９】
図２を参照して、不織布３０は、厚みが０．３５ｍｍ、目付が５０ｇ／ｍ２から１５０ｇ／ｍ２に設定されたポリエチレンテレフタレート製の長繊維で構成されている。不織布３０の製造方法としては、スパンボンド法が好適である。
【００３０】
不織布３０には、必要に応じて、親水処理や防カビ加工、着色などが施される。特に親水加工は、親水性ポリマーの分散液を含浸させることが好ましく、例えば、Ｈｕｎｔｓｍａｎ  Ｊａｐａｎ社の商品名「ＣＹＢＥＲＦＩＴ  ＴＦＣ−０１」等が好適例である。
【００３１】
不織布３０は、上述のような諸元で、一定長さ（例えば、９９０ｍｍ）及び所定幅（例えば、２４５ｍｍ）の寸法に裁断されている。
【００３２】
図示の通り、不織布３０には、長手方向に沿う４条の第１ミシン目３１ａ〜３１ｄと、図略の柱の位置に対応する切除用の第２ミシン目３２と、幅方向に沿って延び、不織布３０を裁断することのできる裁断用の第３ミシン目３３とを有している。
【００３３】
第１ミシン目３１ａ〜３１ｄは、不織布３０を基礎１１及び外側の断熱材１２の各上面１１ａ、１２ａに沿わせるためのものであり、幅方向に段差部１４の上側（基礎１１の上面１１ａの外側の稜線部）に対応するもの（第１ミシン目３１ａ、３１ｂ）と、段差部１４の下側（基礎１１の外側面と断熱材１２の上面との境界）に対応するもの（第１ミシン目３１ｃ、３１ｄ）とからなる。
【００３４】
第１ミシン目３１ａ〜３１ｄの個数は、段差部１４を設けることを考慮しても基本的に２本でよいが、段差部１４のバラつきが比較的大きくなることや、現場によって仕様が変更されることが多いことに鑑み、幅方向に段差部１４の上側に対応するもの（第１ミシン目３１ａ、３１ｂ）と、段差部１４の下側に対応するもの（第１ミシン目３１ｃ、３１ｄ）とを、それぞれ幅方向に場所を変えて複数種類（図示の例では、それぞれ２本）形成している。
【００３５】
第２ミシン目３２は、柱が設けられる位置に対応して、等間隔を隔て、不織布３０の幅方向一端側において、隅部又は途中部に四角い輪郭を縁取っている。第２ミシン目３２は、第１ミシン目３１ａ〜３１ｄよりも深く切り込まれており、作業者が現場で容易に縁取られた部位を切除できるように設定されている。
【００３６】
第３ミシン目３３は、柱間のイレギュラーな間隔に適合するため、予め所定の規格に基づいて定められた位置に形成されている。第３ミシン目３３は、第２ミシン目３２と同様に、作業者が所定の力で引っ張ることにより、容易に不織布３０を分断できる程度の深さに設定されている。
【００３７】
なお、第２ミシン目３２、第３ミシン目３３は、建物の規格に応じて適宜個数や位置が設定される。つまり、これら第２ミシン目３２、第３ミシン目３３は、同一仕様の不織布３０をサイズが異なる複数の仕様の基礎１１及び断熱材１２に適合するように複数個形成される。このようなミシン目３２、３３を複数個設けることにより、同一仕様の不織布３０を汎用的に用いて、種々の現場に施工することが可能となる。特に、本実施形態のように、段差部１４が設けられている床下構造において、段差部１４の高さがまちまちになっていたとしても、当該段差部１４の高さのバラつきを複数のミシン目で吸収することができるので、現場毎のバラつきにも対応が容易になる。
【００３８】
施工時において、不織布３０には、防蟻剤が含浸されているわけではない。ただし、施工後、所定期間（例えば１０年）経過した後においては、不織布３０に所定の防蟻剤を含浸させ、防蟻機能を持たせることが可能である。そのような防蟻剤は、白蟻の侵入を防ぐ機能（防蟻機能）および流動性ないし浸透性を有する液状の薬剤であり、当該薬剤は、防蟻機能を有するものであれば特にその種類を問わないが、例えば、ピレスロイド様薬剤（シラフルオフェン、エトフェンプロックス等）、ピレスロイド系薬剤（ビフェントリン、サイパーメストン、デルタメスリン、パーメスリン、ペルメスリン、アレスリン、トラロメスリン等）、カーバメント系薬剤（プロボクスル、フェノブカルブ、セビン等）、クロルニコチル系薬剤（イミダクロプリド、アセタプリド、クロチアニシン等）、ニトロガニリン系薬剤（ジノテフラン等）、有機リン系殺虫剤（ホキシム、テトラクロクピンホス、フェニトロチオン、プロベタンホス等）、ピラゾール系薬剤（フィブロニル等）、クロルフェノール系薬剤（４−プロモ−２，５−ジクロルフェノール（ＢＤＣＰ）等）、フェニルピロール系（クロルフェナビル等）、ヒバ油、ウコン、カプリン酸、ヤシ油、パーム油等の薬液を、前記薬剤として使用することができる。なお、これらの薬剤は、断熱材１２、１３に含有させる薬剤としても有効である。
【００３９】
さらに、前記薬剤は、界面活性剤を添加していることが好ましい。もっとも、不織布自身に親水性ポリマーを含浸させている場合には、そのような界面活性剤は、不要となる。
【００４０】
次に、図３を参照して、不織布３０の施工例を説明する。
【００４１】
まず、不織布３０の長手方向を基礎１１に沿わせ、かつ第２ミシン目３２が内側に向く姿勢で基礎１１及び外側の断熱材１２の上に載置する。このとき、第１ミシン目３１ａ〜３１ｄに沿って不織布３０を折込み、不織布３０全体を基礎１１の上面１１ａ、段差部１４、及び外側の断熱材１２の上面１２ａに沿わせて面接触させる。本実施形態では、不織布３０の一部が、基礎際スペーサ１６の内側からはみ出して、床下に露出した状態になっている（図１参照）。このはみ出し部分は、後日、防蟻剤を含浸させるための余長部３０ａとして機能する。一方、この段階では、不織布３０には、防蟻剤は含浸されていない。
【００４２】
次いで、図４を参照して、上述のように位置決めされた状態で、基礎１１の上方から不織布３０に基礎際スペーサ１６を載置し、不織布３０を押さえ込む。この工程により、不織布３０は、床下構造に固定的に組み込まれる。
【００４３】
次いで、図５に示すように、基礎際スペーサ１６の上に、常法により外壁２０を載置し、外壁２０を構築する。この工程により、外壁２０の荷重が加わって、不織布３０は、堅固に固定される。
【００４４】
外壁２０を構築した後、水切２６は、常法により外壁２０に固定される。
【００４５】
一方、上述した押圧部材２７は、外壁２０を固定する工程の前後いずれかの段階で基礎１１及び外側の断熱材１２の段差部１４に沿って設置される。これによって、図１に示すように、押圧部材２７は、段差部１４の起伏に沿わせて基礎１１の外側面及び断熱材１２の上面１２ａに不織布３０を押圧し、図略の固定ピンで固定される。このように、図示の実施形態において、押圧部材２７は、当該断熱材１２の上面１２ａとの間で不織布３０を挟み込む押圧部材として機能する。
【００４６】
上述の通り、施工時において、不織布３０には、防蟻剤は含浸されていない。
【００４７】
施工後、歳月が経過し、断熱材１２の防蟻機能が低下してきた場合、メンテナンス工程、すなわち、施工後に不織布３０の余長部３０ａ（建物の床下側に露出する部位）に防蟻剤を床下側から含浸させる工程により、防蟻機能を再生し、再び長期にわたり、白蟻の進入を防止することができる。
【００４８】
次に、メンテナンス工程について説明する。
【００４９】
図５を参照して、メンテナンス工程としては、図略の噴霧器に防蟻剤を充填し、この噴霧器を不織布３０の余長部３０ａに塗布することにより実施することができる。噴霧器は、防蟻剤を不織布３０に注入する注入器の一例である。噴霧器は、例えば防蟻剤を充填する容器と、容器に固定されたノズルと、ノズルを操作するトリガとを備え、トリガの操作で容器内の防蟻剤を噴霧するように構成されている。また、注入器の別の例としては、防蟻剤を充填するシリンダと、シリンダ内の防蟻剤を押し出すピストンとを備えたものを採用してもよい。
【００５０】
作業者は、予め防蟻剤が充填された噴霧器を持って建築物の床下空間に入り込み、床下から不織布３０の余長部３０ａに臨む。次いで、この余長部３０ａに噴霧器の針先を向け、噴霧器のトリガを操作して、容器内に充填された防蟻剤を余長部３０ａに吹き付け、注入する。注入された防蟻剤は、余長部３０ａから建物の外側に浸透し、段差部１４を伝って流下し、さらに、建物の外側に向かい、不織布３０全体に浸透する。また、一部の防蟻剤は、不織布３０に浸透する過程で、基礎１１の外側壁と断熱材１２の間の境界にできた隙間にも浸透する。
【００５１】
防蟻剤が含浸された不織布３０は、新たに防蟻機能を発揮する。よって、床下構造の防蟻機能を再生し、再び長期にわたり、白蟻の進入を防止することができる。
【００５２】
以上説明したように、本実施形態では、建物の床下を仕切る基礎１１と、前記基礎１１の外側面に取り付けられる防蟻処理の施された断熱材１２と、前記基礎１１の上面１１ａ及び前記断熱材１２の上面１２ａを連続して覆う、防蟻剤を含浸可能に構成された不織布３０とを備えた床下構造１である。
【００５３】
また、本実施形態は、同床下構造１の不織布３０であり、その一部が前記建物の床下側に露出した状態で、前記基礎１１の上面１１ａ及び前記断熱材１２の稜線に適合した折り目を形成するミシン目３１ａ〜３１ｄを有している。
【００５４】
さらに、本実施形態は、建物の基礎１１の外側面に、防蟻処理の施された断熱材１２を取り付ける工程（図３参照）と、防蟻剤を含浸可能な不織布３０を配置する工程であって、当該不織布３０が前記基礎１１の上面１１ａ及び前記断熱材１２の上面１２ａを連続して覆い、かつ前記不織布３０の一部が前記建物の床下側に露出するように前記不織布３０を配置する工程（図３、図４参照）と、配置された前記不織布３０を固定する工程（図１参照）と、前記不織布３０の前記建物の床下側に露出する部位に防蟻剤を床下側から含浸させる工程（図５参照）とを備えている床下構造の防蟻処理方法である。
【００５５】
上述した各態様によれば、防蟻処理の施された断熱材１２が、基礎１１の外側面に貼着されている。そのため、断熱材１２に施された防蟻処理により、外部からの白蟻の進入を長期にわたって防ぐことができる。
【００５６】
断熱材１２の防蟻機能が劣化した場合には、上述のようなメンテナンス工程により、防蟻剤を不織布３０に含浸させればよいので、メンテナンス工程による防蟻機能の再生が可能となり、より長期間にわたり、高い防蟻機能を奏することができる。また、逆にいえば、施工時の不織布３０には、防蟻剤を含浸させる必要はないので、不織布３０に予め防蟻剤を塗布、積層した従来の構造に比べ、コストを格段に下げることができる。
【００５７】
また、本実施形態において、前記断熱材１２は、上面１２ａが基礎１１の上面１１ａよりも低くなって基礎１１の外側面に段差部１４を形成しており、押圧部材２７は、段差部１４の輪郭に沿って不織布３０を断熱材１２との間で挟み込んでいる。このため本実施形態では、「段差部」１４を設けたことにより、メンテナンス工程において建物の床下から含浸した防蟻剤が重力で断熱材１２側に導かれつつ浸透する。そのため、含浸させた防蟻剤が床下側に逆流する恐れが少なくなり、しかも、白蟻の進入しやすい外側に薬剤を浸透させることが可能となる。さらにまた、基礎１１と断熱材１２との境界に防蟻剤が溜まりやくなり、断熱材１２の防蟻機能が劣化した場合に最も白蟻が集まりやすい空間に薬剤を浸透させやすくなる。
【００５８】
また、本実施形態において、前記不織布３０は、当該不織布３０を基礎１１の上面１１ａ及び前記断熱材１２の上面１２ａに沿わせるためのミシン目３１ａ〜３１ｄを有している。このため本実施形態では、ミシン目３１ａ〜３１ｄによる位置決めが容易になる他、段差部１４が設けられている構成においても、当該起伏に不織布３０を密に沿わせ、高い面接触状態を維持して防蟻機能を発揮させることができる。
【００５９】
また、前記不織布３０のミシン目３１ａ〜３１ｄは、サイズが異なる複数の仕様の基礎１１及び断熱材１２に適合するように複数個形成されている。このため本実施形態では、不織布３０に汎用性を持たせ、現場での取扱いばかりでなく、製品管理上の負担をも軽減することが可能になる。
【００６０】
また、本実施形態において、前記建物の構造体と干渉する部位を施工現場で切除可能な切除用のミシン目３２をさらに備えている。このため本実施形態では、切除用のミシン目３２に遭わせて不要な部位を切除することが容易になるので、現場での作業性向上に寄与することができる。
【００６１】
本発明は、上述した実施の形態に限定されるものではなく、本発明の要旨を逸脱しない範囲内において種々変更を加え得ることはいうまでもない。
【００６２】
例えば、図６に示すように、木造住宅に本発明を適用してもよい。
【００６３】
図６を参照して、同木造住宅の床下構造１は、基礎１１の上部に土台４０を載置し、この土台４０に大引き４１を連結して床下構造を構築している点が、図１の実施形態と相違している。なお、図６の例では、土台４０に木造住宅に適合する外壁４２を載置し、この外壁４２とともに、土台４０に胴縁４３を固定し、この胴縁４３にサイディング４４を固定している。
【００６４】
図６の例では、水切２６は、一端部が土台４０の外側面に固定され、その下端から外方下向きに屈曲して断熱材１２の上面１２ａの上方から外側に突出し、さらに下向きに屈曲した形状を呈している。
【００６５】
また、押圧部材２７は、図１の構成と同様に、断熱材１２の上面１２ａに沿う板状の部材で構成されている。
【００６６】
図６の構成においても、基礎１１と建物の外側に配置される断熱材１２との間には、段差部１４が形成されている。
【００６７】
上述のような構成においても、基礎１１の上面１１ａ及び断熱材１２の上面１２ａに不織布３０を載置し、不織布３０の一部を床下側に臨ませて、この余長部３０ａから防蟻剤を注入できるようにしてもよい。
【００６８】
さらに、段差部１４が形成されていない構成に不織布３０を配置してもよい。
【００６９】
また、不織布３０は、長繊維をスパンボンド法で製造することが好ましいが、これに限らず、乾式法、湿式法、メルトブローン法、エアレイド法で形成してもよい。また、ケミカルボンド法、サーマルボンド法、ニードルパンチ法、水流交絡法等で結合されたものであってもよい。
【符号の説明】
【００７０】
１     床下構造
１１   基礎
１１ａ 上面
１２   断熱材
１２ａ 上面
１３   断熱材
１４   段差部
１５   外装材
１６   基礎際スペーサ
２０   外壁
２１   フレーム部
２２   断熱材
２３   面材
２４   サイディング
２５   空気通路
２６   水切
２７   押圧部材
３０   不織布
３０ａ 余長部
３１ａ−３１ｄ       第１ミシン目
３２   第２ミシン目
３３   第３ミシン目
４０   土台
４１   大引き
４２   外壁
４３   胴縁
４４   サイディング
【図１】
2018091032.tif 000003
【図２】
2018091032.tif 000004
【図３】
2018091032.tif 000005
【図４】
2018091032.tif 000006
【図５】
2018091032.tif 000007
【図６】
2018091032.tif 000008